【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
各種消耗品がそれぞれ交換可能に収納され、当該消耗品を使用して画像形成するとともに、当該消耗品の残量を残量検出手段で検出して、当該消耗品の残量が所定の発注閾値以下になると自動的に当該消耗品の発注を行う画像形成装置において、
前記消耗品の各ケースに当該画像形成装置の設置地域を示す地域コードの記録されている記憶手段が設けられ、当該記憶手段の地域コードを読み取るコード読取手段と、
各地域コード毎に消耗品の発注開始時期を記憶する発注情報記憶手段と、
当該発注開始時期を計時する計時手段と、
を備え、
前記残量検出手段の検出する前記消耗品の残量が前記発注閾値以下になると、前記コード読取手段で当該消耗品の前記記憶手段から地域コードを読み出して、当該読み出した地域コードに対応する前記発注開始時期を前記発注情報記憶手段から読み出し、前記計時手段が当該読み出した発注開始時期を計時すると、当該消耗品の発注を行う
ことを特徴とする画像形成装置。
【請求項２】
各種消耗品がそれぞれ交換可能に収納され、当該消耗品を使用して画像形成するとともに、当該消耗品の残量を残量検出手段で検出して、当該消耗品の残量が所定の発注閾値以下になると自動的に当該消耗品の発注を行う画像形成装置において、
前記消耗品の各ケースに画像形成装置の設置地域を示す地域コードの記録されている記憶手段が設けられ、当該記憶手段の地域コードを読み取るコード読取手段と、
各地域コード毎に消耗品の発注閾値を記憶する発注情報記憶手段と、
を備え、
前記コード読取手段で前記記憶手段から前記各消耗品の地域コードを読み出して、当該読み出した地域コードに対応する前記発注閾値を前記発注情報記憶手段から読み出し、前記残量検出手段の検出する前記各消耗品の残量を当該消耗品の前記発注閾値と比較して、当該残量検出手段の検出した前記消耗品の残量が当該消耗品の前記発注閾値以下になると、当該消耗品の発注を行うことを特徴とする画像形成装置。
【請求項３】
前記画像形成装置は、前記地域コードに対応した消耗品の発注先を記憶する発注先記憶手段を備え、
前記コード読取手段の読み取った前記消耗品の地域コードに基づいて、前記発注先記憶手段から当該消耗品の発注先を取得して、当該発注先に当該消耗品の発注を行うことを特徴とする請求項１または２記載の画像形成装置。
【請求項４】
前記地域コードが、国を示す国コードであることを特徴とする請求項１ないし３のいずれか１項に記載の画像形成装置。
【請求項５】
画像形成に使用する各種消耗品を交換可能にそれぞれ収納する複数の消耗品カートリッジに、当該消耗品カートリッジの使用地域を示す地域コードが書換可能に記憶されている記憶手段が設けられ、回収された消耗品カートリッジの再生を行って、次の使用地域に送り出す消耗品リサイクルシステムであって、
前記地域コード毎に、使用禁止物質と使用している物質を記憶する物質情報記憶手段と、
回収された前記記憶手段の前記地域コードを読み取るコード読取手段と、
前記コード読取手段によって読み取った地域コードに基づいて前記物質情報記憶手段を参照し、当該地域での使用物質情報を取得する第１の情報取得手段と、
前記消耗品カートリッジの次の使用地域の地域コードを設定する設定手段と、
前記設定手段によって設定された前記次の使用地域の地域コードに基づいて前記物質情報記憶手段を参照し当該次の使用地域での使用禁止物質情報を取得する第２の情報取得手段と、
前記使用物質情報に前記使用禁止物質情報が含まれているか否かを判断する判断手段と、
を備えたことを特徴とする消耗品リサイクルシステム。
【請求項６】
前記次の使用地域の地域コードを書き込むコード書込手段を備え、
再生した前期消耗品カートリッジの前記記憶手段に前記コード書込手段によって前記次の使用地域の地域コードを書き込むことを特徴とする請求項５に記載の消耗品リサイクルシステム
【請求項７】
前記消耗品カートリッジは、静電潜像の形成される感光体と当該感光体上の静電潜像にトナーを供給して現像する現像手段がカートリッジ内に収納されているプロセスカートリッジ、または、インクジェットヘッドに供給するインクを収納するインクカートリッジであることを特徴とする請求項５または６記載の消耗品リサイクルシステム。
【請求項８】
前記地域コードが、国を示す国コードであることを特徴とする請求項５ないし７のいずれか１項に記載の消耗品リサイクルシステム。
【手続補正２】
【補正対象書類名】明細書
【補正対象項目名】発明の名称
【補正方法】変更
【補正の内容】
【発明の名称】画像形成装置及び消耗品リサイクルシステム
【手続補正３】
【補正対象書類名】明細書
【補正対象項目名】０００１
【補正方法】変更
【補正の内容】
【０００１】
本発明は、画像形成装置及び消耗品リサイクルシステムに関し、詳細には、画像形成装置の設置されている地域に応じて、消耗品の発注時期、残量閾値、使用物質を変化させることで、納入期間や法律を考慮した発注を行い、消耗品の適切な管理を行う画像形成装置及び消耗品リサイクルシステムに関する。
【手続補正４】
【補正対象書類名】明細書
【補正対象項目名】０００９
【補正方法】変更
【補正の内容】
【０００９】
そこで、本発明は、画像形成装置の設置地域に応じて、発注時期、残量敷地、使用物質を変化させることで、納入期間や法律を考慮した発注を行い、消耗品の適切な管理を行って、利用性の良好な画像形成装置及び消耗品リサイクルシステムを提供することを目的としている。 
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１９
【補正方法】変更
【補正の内容】
【００１９】
上記各場合において、例えば、請求項３に記載するように、前記画像形成装置は、前記地域コードに対応した消耗品の発注先を記憶する発注先記憶手段を備え、前記コード読取手段の読み取った前記消耗品の地域コードに基づいて、前記発注先記憶手段から当該消耗品の発注先を取得して、当該発注先に当該消耗品の発注を行うものであってもよい。 
また、請求項４に記載するように、前記地域コードとしては、国を示す国コードが使用される。
【手続補正１３】
【補正対象書類名】明細書
【補正対象項目名】００２０
【補正方法】変更
【補正の内容】
【００２０】
請求項５記載の発明の消耗品リサイクルシステムは、画像形成に使用する各種消耗品を交換可能にそれぞれ収納する複数の消耗品カートリッジに、当該消耗品カートリッジの使用地域を示す地域コードが書換可能に記憶されている記憶手段が設けられ、当該回収された消耗品カートリッジの再生を行って、次の使用地域に送り出す消耗品リサイクルシステムであって、前記地域コード毎に、使用禁止物質と使用している物質を記憶する物質情報記憶手段と、 回収された前記記憶手段の前記地域コードを読み取るコード読取手段と、前記コード読取手段によって読み取った地域コードに基づいて前記物質情報記憶手段を参照し、当該地域での使用物質情報を取得する第１の情報取得手段と、前記消耗品カートリッジの次の使用地域の地域コードを設定する設定手段と、前記設定手段によって設定された前記次の使用地域の地域コードに基づいて前記物質情報記憶手段を参照し当該次の使用地域での使用禁止物質情報を取得する第２の情報取得手段と、前記使用物質情報に前記使用禁止物質情報が含まれているか否かを判断する判断手段と、を備えたことにより、上記目的を達成している。
【手続補正１４】
【補正対象書類名】明細書
【補正対象項目名】００２１
【補正方法】変更
【補正の内容】
【００２１】
請求項６記載の発明の消耗品リサイクルシステムは、請求項５記載の発明において、前記次の使用地域の地域コードを書き込むコード書込手段を備え、再生した前期消耗品カートリッジの前記記憶手段に前記コード書込手段によって前記次の使用地域の地域コードを書き込むことにより、上記目的を達成している。
【手続補正１５】
【補正対象書類名】明細書
【補正対象項目名】００２２
【補正方法】変更
【補正の内容】
【００２２】
上記各場合において、例えば、請求項７に記載するように、前記消耗品カートリッジは、静電潜像の形成される感光体と当該感光体上の静電潜像にトナーを供給して現像する現像手段がカートリッジ内に収納されているプロセスカートリッジ、または、インクジェットヘッドに供給するインクを収納するインクカートリッジであってもよい。 
【手続補正１６】
【補正対象書類名】明細書
【補正対象項目名】００２３
【補正方法】変更
【補正の内容】
【００２３】
また、例えば、請求項８に記載するように、前記地域コードが、国を示す国コードであってもよい。 
【手続補正１７】
【補正対象書類名】明細書
【補正対象項目名】００２４
【補正方法】変更
【補正の内容】
【００２４】
本発明によれば、消耗品の適切な管理を行うことができるとともに、利用性を向上させることができる。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】